(57)【要約】【課題】本体ケースの上面に備えた操作カバー部の開口部から基板部へ水が浸入するのを抑制する空気調和装置を提供することを目的とする。【解決手段】本体ケース１の上面に備えた操作手段２３は、開口部２８を有する操作カバー部２４と、この操作カバー部２４の内方に設けられ、操作部２５と、この操作部２５の下方に設けた基板部２６と、この基板部２６と操作部２５との間に備えたスイッチ部品２７とからなり、操作部２５は、椀形状の水受部分２９と、この水受部分２９の一部が上方へ凸形状であると共に、開口部２８から一部が突出している操作部分３０と、水受部分２９に設けた水受孔３１と、この水受孔３１の周縁から下方に伸びた筒部分３２と、水受部分２９を上方へ付勢するばね部分３３とからなり、水受部分２９は、開口部２８の下方を覆い、筒部分３２は、基板部２６に設けた基板孔３５を介して基板部２６の下方へ突出したものである。【選択図】図９
2015045440.tif 000002
【特許請求の範囲】
【請求項１】
吸込口と吹出口を有する箱形状の本体ケースと、この本体ケース内に設けた空気調和手段と、前記本体ケースの上面に備えた操作手段とからなり、前記操作手段は、前記本体ケースの上面に設けると共に、開口部を有する操作カバー部と、この操作カバー部の内方に設けられ、一部が前記開口部から突出している操作部と、この操作部の下方に設けた基板部と、この基板部と前記操作部との間に備えたスイッチ部品とからなり、前記操作部は、椀形状の水受部分と、この水受部分の一部が上方へ凸形状であると共に、前記開口部から一部が突出している操作部分と、前記水受部分に設けた水受孔と、この水受孔の周縁から下方に伸びた筒部分と、前記水受部分を上方へ付勢するばね部分とからなり、前記水受部分は、前記開口部の下方を覆い、前記筒部分は、前記基板部に設けた基板孔を介して前記基板部の下方へ突出したことを特徴とすることを特徴とする空気調和装置。
【請求項２】
前記水受部分と、前記操作部分と、前記筒部分とは、樹脂材料で一体成型していることを特徴とする請求項１に記載の空気調和装置。
【請求項３】
前記水受部分は、前記水受孔と、前記筒部分と、前記基板孔とをそれぞれ２つ有し、前記水受部分内の最も前記本体ケースにおける左右側に設けたことを特徴とする請求項１または２に記載の空気調和装置。
【発明の詳細な説明】
【技術分野】
【０００１】
本発明は、一般家庭や事務所等で使用される空気調和装置に関するものである。
【背景技術】
【０００２】
従来、この種の空気調和装置は、吸込口と吹出口を有する箱形状の本体ケースと、この本体ケース内に設けた空気調和手段と、前記本体ケースの上面に備えた操作手段とからなり、前記操作手段は、前記本体ケースの上面に設けると共に、開口部を有する操作カバー部と、この操作カバー部の下方に設けられ、一部が前記開口部から突出している操作部と、この操作部の下方に設けた基板部と、この基板部と前記操作部との間に備えたカバーシート部と、スイッチ部品とからなるものが知られている。（例えば、特許文献１参照）
【先行技術文献】
【特許文献】
【０００３】
【特許文献１】特開２００８−２０７０４８号公報
【発明の概要】
【発明が解決しようとする課題】
【０００４】
上記従来例の課題は、空気調和装置の本体ケースの上面に備えた操作カバー部の開口部から基板部へ水が浸入するのを抑制することである。
【０００５】
すなわち、従来は、操作カバー部の開口部と、この開口部から一部が突出している操作部との隙間から誤って水が浸入した場合に、基板部の上方に設けたカバーシート部に溜まった状態となった。この溜まった状態が長期間続くと場合によっては、水滴が基板部へ侵入する場合があった。
【０００６】
そこで本発明は、空気調和装置の本体ケースの上面に備えた操作カバー部の開口部から基板部へ水が浸入するのを抑制することを目的とするものである。
【課題を解決するための手段】
【０００７】
そして、この目的を達成するために、本発明は、吸込口と吹出口を有する箱形状の本体ケースと、この本体ケース内に設けた空気調和手段と、前記本体ケースの上面に備えた操作手段とからなり、前記操作手段は、前記本体ケースの上面に設けると共に、開口部を有する操作カバー部と、この操作カバー部の内方に設けられ、一部が前記開口部から突出している操作部と、この操作部の下方に設けた基板部と、この基板部と前記操作部との間に備えたスイッチ部品とからなり、前記操作部は、椀形状の水受部分と、この水受部分の一部が上方へ凸形状であると共に、前記開口部から一部が突出している操作部分と、前記水受部分に設けた水受孔と、この水受孔の周縁から下方に伸びた筒部分と、前記水受部分を上方へ付勢するばね部分とからなり、前記水受部分は、前記開口部の下方を覆い、前記筒部分は、前記基板部に設けた基板孔を介して前記基板部の下方へ突出したことを特徴としたものである。
【０００８】
これにより、所期の目的を達成するものである。
【発明の効果】
【０００９】
以上のように本発明は、吸込口と吹出口を有する箱形状の本体ケースと、この本体ケース内に設けた空気調和手段と、前記本体ケースの上面に備えた操作手段とからなり、前記操作手段は、前記本体ケースの上面に設けると共に、開口部を有する操作カバー部と、この操作カバー部の内方に設けられ、一部が前記開口部から突出している操作部と、この操作部の下方に設けた基板部と、この基板部と前記操作部との間に備えたスイッチ部品とからなり、前記操作部は、椀形状の水受部分と、この水受部分の一部が上方へ凸形状であると共に、前記開口部から一部が突出している操作部分と、前記水受部分に設けた水受孔と、この水受孔の周縁から下方に伸びた筒部分と、前記水受部分を上方へ付勢するばね部分とからなり、前記水受部分は、前記開口部の下方を覆い、前記筒部分は、前記基板部に設けた基板孔を介して前記基板部の下方へ突出したことを特徴としたものである。
【００１０】
すなわち、水受部分は、操作カバー部の開口部の下方を覆い、筒部分は、基板部に設けた基板孔を介して基板部の下方へ突出している。これにより、操作カバー部の開口部と、この開口部から一部が突出している操作部との隙間から誤って水が浸入した場合には、操作カバー部の開口部の下方を覆う水受部分に水が溜まる。この溜まった水が、操作カバー部の筒部分を介して、基板部の下方へ導かれる。結果として、本体ケースの上面に備えた操作カバー部の開口部から基板部へ水が浸入するのを抑制できる。
【図面の簡単な説明】
【００１１】
【図１】本発明の実施の形態１の空気調和装置の外形を示す斜視図
【図２】同空気調和装置の正面から見た清浄風路全閉時の断面図
【図３】同空気調和装置の風量割合調節手段の斜視図
【図４】同空気調和装置の側面から見た清浄風路全開時の垂直断面図
【図５】同空気調和装置の上から見た清浄風路全開時の水平断面図
【図６】同空気調和装置の側面から見た清浄風路全閉時の垂直断面図
【図７】同空気調和装置の上から見た清浄風路全閉時の水平断面図
【図８】同空気調和装置の操作カバー部を示す図
【図９】同空気調和装置の操作部を示す図
【図１０】同空気調和装置の操作手段の垂直断面を示す図
【図１１】同空気調和装置の操作手段の断面を示す図
【発明を実施するための形態】
【００１２】
以下、本発明の実施の形態について図面を参照しながら説明する。
【００１３】
（実施の形態１）
図１から図３に示すように、本実施形態の空気調和装置は、吹出口２と吸込口３を有する本体ケース１と、この本体ケース１内に、送風手段６と、風量割合調節手段７と、空気調和手段である清浄フィルタ４と、加湿手段５とを備えている。
【００１４】
本体ケース１は、縦長箱形状で、上面には、操作手段と吹出口２を設け、左右両側面には、吸込口３を備えている。吸込口３の内方には、第１の吸込口８と第２の吸込口９とを備えている。第１の吸込口８と第２の吸込口９とは、縦長四角形状で、上下に仕切り板１０によって仕切られている。第１の吸込口８は、第２の吸込口９の上方に設けられている。第１の吸込口８の開口面積は、第２の吸込口９の開口面積より大きい。なお、本体ケース１の少なくとも一方側の側面下部に第２の吸込口９を設け、第２の吸込口９の上方に第１の吸込口８を備えていれば良い。
【００１５】
清浄フィルタ４は、吸込口３と、第１の吸込口８および第２の吸込口９との間に設けられている。具体的には、第１の吸込口８および第２の吸込口９の外方で、本体ケース１における左右に１枚ずつ設けられている。清浄フィルタ４は、空気中の粉塵が除去できれば良く、例えば、高性能フィルタ、中性能フィルタ、あるいは静電フィルタなどがある。
【００１６】
加湿手段５は、第２の吸込口９の間に設けられている。加湿手段５は、椀形状の貯水容器２０と、この貯水容器２０の水に下端の開口が浸漬した筒形状の加湿フィルター２１とからなる。加湿フィルター２１は、吸い上げ式で、貯水容器２０の水を吸い上げられるものであれば良い。
【００１７】
送風手段６は、第１の吸込口８より上方で、加湿手段５と吹出口２との間に設けている。送風手段６としては、ターボファン、軸流送風機等などがある。
【００１８】
送風手段６によって送風される風路は、清浄風路１１と加湿清浄風路１２とがある。
【００１９】
清浄風路１１は、送風手段６によって、第１の吸込口８から吸い込まれた空気が、清浄フィルタ４、送風手段６を介して吹出口２へ送風される風路である。加湿清浄風路１２は、送風手段６によって、第２の吸込口９から吸い込まれた空気が、清浄フィルタ４、加湿手段５、送風手段６を介して吹出口２へ送風される風路である。すなわち、送風手段６によって、清浄風路１１と加湿清浄風路１２との両方の風路から送風される。
【００２０】
風量割合調節手段７は、清浄風路１１における清浄フィルタ４と送風手段６との間であると共に、加湿清浄風路１２における加湿手段５と送風手段６との間に設けている。この風量割合調節手段７は、清浄風路１１の風量と加湿清浄風路１２の風量との割合を調節できる。
【００２１】
これにより、風量割合調節手段７は、清浄風路１１の風量と加湿清浄風路１２の風量との割合を調節できるので、加湿清浄風量だけを増加させることができる。結果として、加湿効率が向上する。
【００２２】
具体的には、風量割合調節手段７は、本体ケース１内に回動自在に設けられた円筒１３と、この円筒１３の側周面と接する遮蔽部１４と、円筒を回動する円筒回転手段とからなる。
【００２３】
円筒１３は、上下方向が軸方向で側周面に少なくとも１つの側面開口１６を備えている。
【００２４】
清浄風路１１は、円筒１３の側面開口１６から上面の上面開口１７へと連通している。加湿清浄風路１２は、円筒１３の下面の下面開口１８から上面開口１７へと連通している。ここで、円筒回転手段によって、円筒１３を回動させると遮蔽部１４によって側面開口１６の開口面積が変化するものである。
【００２５】
遮蔽部１４は、本体ケース１内における、本体ケース１前面側と背面側とが、内方に突出し、先端が、円筒１３の外周の側周面に沿う形状である。
【００２６】
円筒回転手段は、円筒１３の上端側面に設けられた円環状のギア２２と、本体ケース１内に設けたステッピングモータ（図示せず）と、このステッピングモータによって回動する歯車（図示せず）とからなる。ステッピングモータによって、歯車が回動し、この歯車と噛み合っているギア２２が回動することにより、円筒１３が回動するものである。
【００２７】
以上の構成で、図４から図７に示すように、円筒１３が回動し、側面開口１６と遮蔽部１４とが重なると、重なった部分だけ、側面開口１６が小さくなる。これにより、風量割合調節手段７は、円筒１３を回動させ、遮蔽部１４によって側面開口１６を全開から全閉まで変化させることが出来る。すなわち、側面開口１６を全開から全閉することができるので、清浄風路１１を遮蔽し、加湿清浄風路１２のみとなり、加湿清浄風量だけを増加させることができる。
【００２８】
操作手段は、図８から図１１に示すように、操作カバー部２４と、操作部２５と、基板部２６と、スイッチ部品２７とからなる。
【００２９】
操作カバー部２４は、本体ケースの上面に位置し、円形状の開口部２８を有する。
【００３０】
操作部２５は、操作カバー部２４の主に内方に設けられ、一部が開口部２８から上方へ突出している。操作部２５は、水受部分２９と、操作部分３０と、水受孔３１と、筒部分３２と、ばね部分３３とからなる。これら水受部分２９と、操作部分３０と、水受孔３１と、筒部分３２と、ばね部分３３とは、樹脂材料で一体成型されている。
【００３１】
水受部分２９は、椀形状で、この中央から、この水受部分２９の一部が上方へ凸形状、つまり軸方向が上下方向である円筒形状で、上方開口が塞がれた形状である操作部分３０を備えている。操作部分３０は、操作カバー部２４の開口部２８から天面である一部が突出している。操作部分３０の左右側である水受部分２９には、円形状の穴である水受孔３１を備えている。この水受孔３１は、水受孔の周縁から下方に伸びた円筒形状の筒部分３２を備えている。水受部分２９の側面には、この側面から螺旋状に下方へ伸び、水受部分２９を上方へ付勢するばね部分３３を備えている。このばね部分３３は、基板部２６の上面と接触する。
【００３２】
基板部２６は、操作部２５の下方に設けられ、操作カバー部２４に固定されている。スイッチ部品２７は、基板部２６と操作部２５との間に備えている。
【００３３】
以上の構成で、操作部２５は、ばね部分３３によって上方へ付勢されているが、操作部２５の操作部分３０を押すと、操作部２５が下がる。ここで、操作部２５の底面の一部である突起部分３４とスイッチ部品２７とは、接触しているので、操作部２５が下がると、スイッチ部品２７は、押された状態となる。これにより、スイッチ部品２７が、ＯＮ状態となる。
【００３４】
本実施形態における特徴点は、操作部２５の形状である。具体的には、操作部２５の水受部分２９は、開口部２８の下方を覆い、筒部分３２は、基板部２６に設けた基板孔３５を介して基板部２６の下方へ突出した点である。
【００３５】
これにより、操作カバー部２４の開口部２８と、この開口部２８から一部が突出している操作部２５との隙間から誤って水が浸入した場合には、操作カバー部２４の開口部２８の下方を覆う水受部分２９に水が溜まる。この溜まった水が、操作部２５の筒部分３２を介して、基板部２６の下方へ導かれる。結果として、本体ケース１の上面に備えた操作手段から基板部２６へ水が浸入するのを抑制できる。
【００３６】
また、水受部分２９と操作部分３０と筒部分３２とばね部分３３とは、樹脂材料で一体成型している。これにより、部品点数を削減でき、組立性が向上する。更に、それぞれの間、つまり水受部分２９と操作部分３０との間、水受部分２９と筒部分３２との間に隙間が発生しにくいので、水受部分２９と操作部分３０との間、水受部分２９と筒部分３２との間から水が漏れることを抑制できる。
【００３７】
また、水受部分２９は、水受孔３１と、筒部分３２と、基板孔３５とをそれぞれ２つ有し、水受部分２９内の最も本体ケース１における左右側に設けたものである。水受部分２９は、上から見ると、本体ケース１における前面側から背面側へ向かうにしたがって面積が大きくなる左右対称な略三角形状で、その中央に操作部分３０を備えている。水受孔３１と、筒部分３２と、基板孔３５とは、水受部分２９内の最も本体ケース１における背面側で、水受部分２９内の最も本体ケース１における左右側に設けたものである。
【００３８】
これにより、水受孔３１と、筒部分３２と、基板孔３５とが１つのものに比べ、多くの水を基板部２６の下方へ導ける。また、筒部分３２は、水受部分２９に、左右対称な位置に備えているので、本体ケース１における左右方向の重量バランスがよく、操作部２５の操作性が良い。
【００３９】
また、基板部２６の下方には、環形状の下カバー３６を備えている。操作カバー部２４の開口部２８と、この開口部２８から一部が突出している操作部２５との隙間から誤って水が浸入した場合には、操作カバー部２４の開口部２８の下方を覆う水受部分２９に水が溜まる。この溜まった水が、操作部２５の筒部分３２を介して、基板部２６の下方の下カバー３６に流れ込む。この下カバー３６に溜まった水は、下カバー３６と加湿清浄風路１２とを連通した孔から落下し、加湿清浄風路１２を介して、主に、加湿手段５の貯水容器２０に落下する。
【産業上の利用可能性】
【００４０】
本発明は、吸込口と吹出口を有する箱形状の本体ケースと、この本体ケース内に設けた空気調和手段と、前記本体ケースの上面に備えた操作手段とからなり、前記操作手段は、前記本体ケースの上面に設けると共に、開口部を有する操作カバー部と、この操作カバー部の内方に設けられ、一部が前記開口部から突出している操作部と、この操作部の下方に設けた基板部と、この基板部と前記操作部との間に備えたスイッチ部品とからなり、前記操作部は、椀形状の水受部分と、この水受部分の一部が上方へ凸形状であると共に、前記開口部から一部が突出している操作部分と、前記水受部分に設けた水受孔と、この水受孔の周縁から下方に伸びた筒部分と、前記水受部分を上方へ付勢するばね部分とからなり、前記水受部分は、前記開口部の下方を覆い、前記筒部分は、前記基板部に設けた基板孔を介して前記基板部の下方へ突出したことを特徴としたものである。
【００４１】
すなわち、水受部分は、操作カバー部の開口部の下方を覆い、筒部分は、基板部に設けた基板孔を介して基板部の下方へ突出している。これにより、操作カバー部の開口部と、この開口部から一部が突出している操作部との隙間から誤って水が浸入した場合には、操作カバー部の開口部の下方を覆う水受部分に水が溜まる。この溜まった水が、操作カバー部の筒部分を介して、基板部の下方へ導かれる。結果として、本体ケースの上面に備えた操作カバー部の開口部から基板部へ水が浸入するのを抑制できるで、加湿、空気清浄、加湿空気調和装置等の空調機等として有用である。
【符号の説明】
【００４２】
１      本体ケース
２      吹出口
３      吸込口
４      清浄フィルタ
５      加湿手段
６      送風手段
７      風量割合調節手段
８      第１の吸込口
９      第２の吸込口
１０      仕切り板
１１      清浄風路
１２      加湿清浄風路
１３      円筒
１４      遮蔽部
１６      側面開口
１７      上面開口
１８      下面開口
２０      貯水容器
２１      加湿フィルター
２２      ギア
２４      操作カバー部
２５      操作部
２６      基板部
２７      スイッチ部品
２８      開口部
２９      水受部分
３０      操作部分
３１      水受孔
３２      筒部分
３３      ばね部分
３４      突起部分
３５      基板孔
３６      下カバー
【図１】
2015045440.tif 000003
【図２】
2015045440.tif 000004
【図３】
2015045440.tif 000005
【図４】
2015045440.tif 000006
【図５】
2015045440.tif 000007
【図６】
2015045440.tif 000008
【図７】
2015045440.tif 000009
【図８】
2015045440.tif 000010
【図９】
2015045440.tif 000011
【図１０】
2015045440.tif 000012
【図１１】
2015045440.tif 000013